(57)【要約】【課題】電食で腐食され難い二重鎧装ケーブル引留め部を得る。【解決手段】引留め端側で鉄線７よりなる外側鎧装体８より先に延びた内側鎧装体６を構成する各ＦＲＰ線５の先端外周に金属製の圧縮スリーブ１２をそれぞれ嵌め合わせ圧縮する。各圧縮スリーブ１２は、ケーブル本体４の外周に嵌めた環状のＦＲＰ線支え金具１４の外周のテーパ面１４ａの外周に沿って並べる。各圧縮スリーブ１２は、ＦＲＰ線支え金具１４の外周に嵌めた環状のＦＲＰ線引留め金具１５の内周のテーパ面１５ａで押える。ＦＲＰ線引留め金具１５とＦＲＰ線支え金具１４とは、両者のテーパ面１５ａ，１４ａの相互間隔を接近させる方向に締結する締結金具１６で締結する。少なくとも保護ケース１９内の引き留め箇所には、防水コンパウンド２７を充填する。【選択図】  図１
2005012872.tif 000002
【特許請求の範囲】
【請求項１】
ケーブル本体の外周がＦＲＰ線よりなる内側鎧装体と鉄線よりなる外側鎧装体とで二重に鎧装されている二重鎧装ケーブルを保護ケースの箇所で引留めている二重鎧装ケーブル引留め部において、
引留め端側で前記鉄線よりなる前記外側鎧装体がバインド部材でバインドされ、前記外側鎧装体より先に延びた前記内側鎧装体を構成する前記各ＦＲＰ線の先端外周に金属製の圧縮スリーブがそれぞれ嵌め合わせ圧縮され、前記各圧縮スリーブは前記ケーブル本体の外周に嵌められた環状のＦＲＰ線支え金具の外周のテーパ面の外周に沿って並べられ、前記各圧縮スリーブは前記ＦＲＰ線支え金具の外周に嵌められた環状のＦＲＰ線引留め金具の内周の前記テーパ面で押えられ、前記ＦＲＰ線引留め金具と前記ＦＲＰ線支え金具とは両者の前記テーパ面の相互間隔を接近させる方向に締結する締結金具で締結され、少なくとも前記保護ケース内の引き留め箇所には防水コンパウンドが充填されていることを特徴とする二重鎧装ケーブル引留め部。
【請求項２】
ケーブル本体の外周がＦＲＰ線よりなる内側鎧装体と鉄線よりなる外側鎧装体とで二重に鎧装されている二重鎧装ケーブルを保護ケースの箇所で引留めている二重鎧装ケーブル引留め部において、
引留め端側で前記鉄線よりなる前記外側鎧装体がバインド部材でバインドされ、前記外側鎧装体より先に延びた前記内側鎧装体を構成する前記各ＦＲＰ線の先端にそれぞれ引留め鉄線が圧縮スリーブの嵌め合わせ圧縮により接続され、環状をなしていて外周がテーパ面となっているＦＲＰ線引留め金具が前記ケーブル本体の外周に嵌められ、前記各引留め鉄線が前記ＦＲＰ線引留め金具の内周を通って外周に出て折り返されて前記テーパ面の外周に沿って並べられ、前記テーパ面の外周の前記各引留め鉄線は前記ＦＲＰ線引留め金具の外周に嵌められた環状の鉄線締め付け金具の内周のテーパ面で押えられ、前記鉄線締め付け金具は前記ＦＲＰ線引留め金具の外周での前記各引留め鉄線の折り返し端部を押える押え金具に締結金具で締結され、前記保護ケースの外に出ている前記内側鎧装体と前記外側鎧装体との露出部は防水処理層で覆われていることを特徴とする二重鎧装ケーブル引留め部。
【発明の詳細な説明】
【０００１】
【発明の属する技術分野】
本発明は、ケーブル本体の外周がＦＲＰ線よりなる内側鎧装体と鉄線よりなる外側鎧装体とで二重に鎧装されている二重鎧装ケーブルを引留めている二重鎧装ケーブル引留め部に関するものである。
【０００２】
【従来の技術】
従来のこの種の二重鎧装ケーブル引留め部では、鉄線よりなる外側鎧装体で引き留めていた（例えば、特許文献１参照。）。
【０００３】
【特許文献１】
特開２０００−２８７３５０号公報（図１）
【０００４】
【発明が解決しようとする課題】
しかしながら、鉄線よりなる外側鎧装体は、海中では電食で腐食され易く、耐久性が悪い問題点があった。
【０００５】
本発明の目的は、電食で腐食され難い二重鎧装ケーブル引留め部を提供することにある。
【０００６】
【課題を解決するための手段】
本発明は、ケーブル本体の外周がＦＲＰ線よりなる内側鎧装体と鉄線よりなる外側鎧装体とで二重に鎧装されている二重鎧装ケーブルを保護ケースの箇所で引留めている二重鎧装ケーブル引留め部を対象とする。
【０００７】
本発明に係る二重鎧装ケーブル引留め部では、引留め端側で鉄線よりなる外側鎧装体がバインド部材でバインドされ、外側鎧装体より先に延びた内側鎧装体を構成する各ＦＲＰ線の先端外周に金属製の圧縮スリーブがそれぞれ嵌め合わせ圧縮され、各圧縮スリーブはケーブル本体の外周に嵌められた環状のＦＲＰ線支え金具の外周のテーパ面の外周に沿って並べられ、各圧縮スリーブはＦＲＰ線支え金具の外周に嵌められた環状のＦＲＰ線引留め金具の内周のテーパ面で押えられ、ＦＲＰ線引留め金具とＦＲＰ線支え金具とは両者のテーパ面の相互間隔を接近させる方向に締結する締結金具で締結され、少なくとも保護ケース内の引き留め箇所には防水コンパウンドが充填されていることを特徴とする。
【０００８】
このようにＦＲＰ線よりなる内側鎧装体で引き留めると、ＦＲＰ線は電食で腐食され難く、耐久性に優れている。しかしながら、ＦＲＰ線は曲げに弱いので、各ＦＲＰ線の端部に圧縮スリーブをそれぞれ嵌め合わせ圧縮し、これらの圧縮スリーブを、ケーブル本体の外周に嵌めた環状のＦＲＰ線支え金具の外周のテーパ面と、該ＦＲＰ線支え金具の外周に嵌めた環状のＦＲＰ線引留め金具の内周のテーパ面とで挟持して引き止めていることにより、確実にＦＲＰ線の引留めを行うことができる。また、引き留め箇所は防水コンパウンドで覆っているので、電食での劣化を防止することができる。
【０００９】
また、本発明に係る二重鎧装ケーブル引留め部では、引留め端側で鉄線よりなる外側鎧装体がバインド部材でバインドされ、外側鎧装体より先に延びた内側鎧装体を構成する各ＦＲＰ線の先端にそれぞれ引留め鉄線が圧縮スリーブの嵌め合わせ圧縮により接続され、環状をなしていて外周がテーパ面となっているＦＲＰ線引留め金具がケーブル本体の外周に嵌められ、各引留め鉄線がＦＲＰ線引留め金具の内周を通って外周に出て折り返されてテーパ面の外周に沿って並べられ、テーパ面の外周の各引留め鉄線はＦＲＰ線引留め金具の外周に嵌められた環状の鉄線締め付け金具の内周のテーパ面で押えられ、鉄線締め付け金具はＦＲＰ線引留め金具の外周での各引留め鉄線の折り返し端部を押える押え金具に締結金具で締結され、保護ケースの外に出ている内側鎧装体と外側鎧装体との露出部は防水処理層で覆われていることを特徴とする。
【００１０】
このようにＦＲＰ線よりなる内側鎧装体で引き留めると、ＦＲＰ線は電食で腐食され難く、耐久性に優れている。しかしながら、ＦＲＰ線は曲げに弱いので、各ＦＲＰ線の端部にそれぞれ引留め鉄線を圧縮スリーブで圧縮接続し、これら引留め鉄線は自由に曲げられるゆえ、環状をなしていて外周がテーパ面となっているＦＲＰ線引留め金具にその内周を通って外周に出て折り返してテーパ面の外周に沿って並べ、テーパ面の外周の各引留め鉄線をＦＲＰ線引留め金具の外周に嵌めた環状の鉄線締め付け金具の内周のテーパ面で押えて引き止めることにより、確実にＦＲＰ線をこれに接続した引留め鉄線を介して引留めることができる。また、保護ケースの外に出ている内側鎧装体と外側鎧装体との露出部は防水処理層で覆っているので、電食での劣化を防止することができる。
【００１１】
【発明の実施の形態】
図１は本発明を二重鎧装ケーブルの中間接続部の引留め部に適用した二重鎧装ケーブル引留め部の実施の形態の第１例を示した要部縦断面図である。
【００１２】
二重鎧装ケーブル１は、ケーブルコア２の外周にプラスチックの押出し被覆によりケーブルシース３が設けられてケーブル本体４が構成されている。このケーブル本体４の外周に多数のＦＲＰ線５の被覆により内側鎧装体６が設けられている。この内側鎧装体６の外周に多数の亜鉛メッキの鉄線７の被覆により外側鎧装体８が設けられている。外側鎧装体８の外周には、防水コンパウンド層９が被覆されている。
【００１３】
このような二重鎧装ケーブル１は、端部で段剥ぎされて、防水コンパウンド層９の端部から、外側鎧装体８、内側鎧装体６、ケーブル本体４のケーブルシース３、ケーブルコア２が順次露出されている。
【００１４】
露出された外側鎧装体８を構成する亜鉛メッキの各鉄線７の端部外周は、バインド部材１０でバインドされている。
【００１５】
露出された内側鎧装体６を構成する各ＦＲＰ線５は、各鉄線７の露出長より長い露出長で露出されている。バインド部材１０に近い側で各ＦＲＰ線５の外周もバインド部材１１でバインドされている。
【００１６】
各ＦＲＰ線５の先端側外周には、それぞれ圧縮スリーブ１２がそれぞれ嵌め合わせ圧縮されている。圧縮スリーブ１２は、例えば図２に示すようにステンレススチールの筒体の一端が開口され、他端が閉じた構造をなしていて、開口端１２ａからＦＲＰ線５の先端側を挿入して、該圧縮スリーブ１２をその外周から図示しない圧縮手段で圧縮することにより、圧縮スリーブ１２がＦＲＰ線５に一体に取付けられている。
【００１７】
これら圧縮スリーブ１２は、ケーブル本体４の外周に絶縁ゴムシート１３を介して嵌められた環状のＦＲＰ線支え金具１４の外周のテーパ面１４ａの外周に沿って並べられている。ＦＲＰ線支え金具１４は、例えばステンレススチール等で形成されていて、テーパ面１４ａの最大径側の外周にフランジ１４ｂが突設されている。
【００１８】
ＦＲＰ線支え金具１４のテーパ面１４ａの外周に沿って並べられている各圧縮スリーブ１２は、ＦＲＰ線支え金具１４の外周に嵌められた環状のＦＲＰ線引留め金具１５の内周のテーパ面１５ａで押えられている。ＦＲＰ線引留め金具１５は、例えばステンレススチール等で形成されていて、その軸心方向の両端の外周にそれぞれフランジ１５ｂ，１５ｃが突設されている。
【００１９】
ＦＲＰ線引留め金具１５とＦＲＰ線支え金具１４とは、両者のテーパ面１４ａ，１５ａの相互間隔を接近させる方向に締結するボルトよりなる締結金具１６で締結されている。
【００２０】
中間接続部では、図示の二重鎧装ケーブル１の反対側にも、図示しないが接続相手である二重鎧装ケーブル１が配置され、その端末は前述したと同様に構成されている。相互のケーブルコア２は図示しないコア接続部で接続されている。相互のＦＲＰ線引留め金具１５は、そのフランジ１５ｂ，１５ｃの外周寄りの箇所に通されたテンションボルト１７と、これに螺合されたナット１８とで連結されている。これにより、両側の二重鎧装ケーブル１は、相互のケーブルコア２のコア接続部に張力をかけないようにテンションボルト１７で相互に連結されている。
【００２１】
このような中間接続部の外周は、保護ケース１９で覆われている。保護ケース１９の端部は縮径筒部１９ａとなっていて、防水コンパウンド層９の端部外周に嵌められ、防水テープ層２０で防水コンパウンド層９に固定されている。
【００２２】
圧縮スリーブ１２，ＦＲＰ線支え金具１４，ＦＲＰ線引留め金具１５等の部材で各ＦＲＰ線５を引き留めている保護ケース１９内の引き留め箇所は、保護ケース１９内を仕切る仕切り板２１で仕切られている。仕切り板２１の外周は、ボルト２２とナット２３で保護ケース１９に連結されている。仕切り板２１の外周と保護ケース１９との間には、絶縁ゴムシート２４が介在されている。また、ＦＲＰ線引留め金具１５のフランジ１５ｂ，１５ｃの外周と保護ケース１９との間にも、絶縁ゴムシート２５が介在されている。仕切り板２１の内周は、防水テープ層２６でケーブルシース３の外周にシールされている。
【００２３】
仕切り板２１で仕切られた保護ケース１９内の端部の引き留め箇所には、防水コンパウンド２７が充填されている。
【００２４】
なお、防水コンパウンド２７は、必要に応じて保護ケース１９内の全体に充填することもできる。
【００２５】
このように二重鎧装ケーブル１を、ＦＲＰ線５よりなる内側鎧装体６で引き留めると、ＦＲＰ線５は電食で腐食され難く、耐久性に優れている。しかしながら、ＦＲＰ線５は曲げに弱いので、各ＦＲＰ線５の端部に圧縮スリーブ１２をそれぞれ嵌め合わせ圧縮し、これらの圧縮スリーブ１２を、ケーブル本体４の外周に嵌めた環状のＦＲＰ線支え金具１４の外周のテーパ面１４ａと、該ＦＲＰ線支え金具１４の外周に嵌めた環状のＦＲＰ線引留め金具１５の内周のテーパ面１５ａとで挟持して引き止めていることにより、確実にＦＲＰ線５の引留めを行うことができる。また、引き留め箇所は防水コンパウンド２７で覆っているので、電食での劣化を防止することができる。
【００２６】
図３は本発明を二重鎧装ケーブルの中間接続部の引留め部に適用した二重鎧装ケーブル引留め部の実施の形態の第２例を示した要部縦断面図である。なお、図１と対応する部分には、同一符号を付けて示している。
【００２７】
二重鎧装ケーブル１の構造は、第１例と同じである。
【００２８】
引留め端側で鉄線７よりなる外側鎧装体８は、バインド部材１０でバインドされている。外側鎧装体８より先に延びた内側鎧装体６を構成する各ＦＲＰ線５の先端には、それぞれ亜鉛メッキの引留め鉄線２８が亜鉛メッキの鉄製の圧縮スリーブ２９の嵌め合わせ圧縮により接続されている。
【００２９】
環状をなしていて外周がテーパ面３０ａとなっている例えばステンレススチール等の金属製のＦＲＰ線引留め金具３０がケーブル本体４の外周に嵌められている。各引留め鉄線２８は、ＦＲＰ線引留め金具３０の内周を通って外周に出て折り返されてテーパ面３０ａの外周に沿って並べられている。テーパ面３０ａの外周を通り過ぎた各引留め鉄線２８の先端部は、ＦＲＰ線５よりなる内側鎧装体６の外周にバインド部材３１でバインドされている。
【００３０】
ＦＲＰ線引留め金具３０のテーパ面３０ａの外周の各引留め鉄線２８は、ＦＲＰ線引留め金具３０の外周に嵌められた環状の鉄線締め付け金具３２の内周のテーパ面３２ａで押えられている。鉄線締め付け金具３２は、例えばステンレススチール等の金属で形成されていて、その軸心方向の両端の外周にそれぞれフランジ３２ｂ，３２ｃが突設されている。
【００３１】
鉄線締め付け金具３２は、ＦＲＰ線引留め金具３０の外周での各引留め鉄線２８の折り返し端部を押えるステンレススチール等よりなる押え金具３３にボルトよりなる締結金具１６で締結されている。この締結金具１６の締結により、鉄線締め付け金具３２が押え金具３３側に引き寄せられ、これにより鉄線締め付け金具３２のテーパ面３２ａが各引留め鉄線２８の折り返し部分に加圧されて、ＦＲＰ線引留め金具３０と鉄線締め付け金具３２とで各引留め鉄線２８が把持されて、各ＦＲＰ線５が引き留められている。
【００３２】
押え金具３３を貫通したケーブルシース３の端部とこの端部から露出されているケーブルコア２の部分の境界部分は防水テープ層２６でシールされている。
【００３３】
中間接続部では、図示の二重鎧装ケーブル１の反対側にも、図示しないが接続相手である二重鎧装ケーブル１が配置され、その端末は前述したと同様に構成されている。相互のケーブルコア２は図示しないコア接続部で接続されている。相互の鉄線締め付け金具３２は、そのフランジ３２ｂ，３２ｃの外周寄りの箇所に通されたテンションボルト１７と、これに螺合されたナット１８とで連結されている。これにより、両側の二重鎧装ケーブル１は、相互のケーブルコア２のコア接続部に張力をかけないようにテンションボルト１７で相互に連結されている。
【００３４】
このような中間接続部の外周は、保護ケース１９で覆われている。保護ケース１９の外に出ている内側鎧装体６と外側鎧装体８との露出部は、防水テープ層よりなる防水処理層３４で覆われている。
【００３５】
このようにＦＲＰ線５よりなる内側鎧装体６で引き留めると、ＦＲＰ線５は電食で腐食され難く、耐久性に優れている。しかしながら、ＦＲＰ線５は曲げに弱いので、各ＦＲＰ線５の端部にそれぞれ引留め鉄線２８を圧縮スリーブ２９で圧縮接続し、これら引留め鉄線２８は自由に曲げられるゆえ、環状をなしていて外周がテーパ面３０ａとなっているＦＲＰ線引留め金具３０にその内周を通って外周に出て折り返してテーパ面３０ａの外周に沿って並べ、テーパ面３０ａの外周の各引留め鉄線２８をＦＲＰ線引留め金具３０の外周に嵌めた環状の鉄線締め付け金具３２の内周のテーパ面３２ａで押えて引き止めることにより、確実にＦＲＰ線５をこれに接続した引留め鉄線２８を介して引留めることができる。また、保護ケース１９の外に出ている内側鎧装体６と外側鎧装体８との露出部は防水処理層３４で覆っているので、電食での劣化を防止することができる。
【００３６】
なお、図１に示す実施の形態の第１例の引留め部は深海での引留め部に適しており、図３に示す実施の形態の第２例の引留め部は浅海での引留め部に適している。この浅海での引留め部は、保護ケース１９内に防水コンパウンド２７を充填しない。この浅海での引留め部は、損傷が起った場合には引き揚げて修理する。
【００３７】
上記例は中間接続部の引留め部に本発明を適用した例について説明したが、本発明はこれに限定されるものではなく、二重鎧装ケーブル１の端末の引留め部にも適用することができる。
【００３８】
【発明の効果】
本発明に係る二重鎧装ケーブル引留め部では、ＦＲＰ線よりなる内側鎧装体と鉄線よりなる外側鎧装体とをもつ二重鎧装ケーブルのＦＲＰ線よりなる内側鎧装体で引き留めているので、ＦＲＰ線は電食で腐食され難く、耐久性に優れている。しかしながら、ＦＲＰ線は曲げに弱いので、各ＦＲＰ線の端部に圧縮スリーブをそれぞれ嵌め合わせ圧縮し、これらの圧縮スリーブを、ケーブル本体の外周に嵌めた環状のＦＲＰ線支え金具の外周のテーパ面と、該ＦＲＰ線支え金具の外周に嵌めた環状のＦＲＰ線引留め金具の内周のテーパ面とで挟持して引き止めていることにより、確実にＦＲＰ線の引留めを行うことができる。また、引き留め箇所は防水コンパウンドで覆っているので、電食での劣化を防止することができる。
【００３９】
また、本発明に係る二重鎧装ケーブル引留め部では、ＦＲＰ線よりなる内側鎧装体と鉄線よりなる外側鎧装体とをもつ二重鎧装ケーブルのＦＲＰ線よりなる内側鎧装体で引き留めているので、ＦＲＰ線は電食で腐食され難く、耐久性に優れている。しかしながら、ＦＲＰ線は曲げに弱いので、各ＦＲＰ線の端部にそれぞれ引留め鉄線を圧縮スリーブで圧縮接続し、これら引留め鉄線は自由に曲げられるゆえ、環状をなしていて外周がテーパ面となっているＦＲＰ線引留め金具にその内周を通って外周に出て折り返してテーパ面の外周に沿って並べ、テーパ面の外周の各引留め鉄線をＦＲＰ線引留め金具の外周に嵌めた環状の鉄線締め付け金具の内周のテーパ面で押えて引き止めることにより、確実にＦＲＰ線をこれに接続した引留め鉄線を介して引留めることができる。また、保護ケースの外に出ている内側鎧装体と外側鎧装体との露出部は防水処理層で覆っているので、電食での劣化を防止することができる。
【図面の簡単な説明】
【図１】本発明を二重鎧装ケーブルの中間接続部の引留め部に適用した二重鎧装ケーブル引留め部の実施の形態の第１例を示した要部縦断面図である。
【図２】実施の形態の第１例で用いている圧縮スリーブの一例を示す縦断面図である。
【図３】本発明を二重鎧装ケーブルの中間接続部の引留め部に適用した二重鎧装ケーブル引留め部の実施の形態の第２例を示した要部縦断面図である。
【符号の説明】
１  二重鎧装ケーブル
２  ケーブルコア
３  ケーブルシース
４  ケーブル本体
５  ＦＲＰ線
６  内側鎧装体
７  鉄線
８  外側鎧装体
９  防水コンパウンド層
１０，１１  バインド部材
１２  圧縮スリーブ
１２ａ  開口端
１３  絶縁ゴムシート
１４  ＦＲＰ線支え金具
１４ａ  テーパ面
１４ｂ  フランジ
１４ｂが突設されている。
１５  ＦＲＰ線引留め金具
１５ａ  テーパ面
１５ｂ，１５ｃ  フランジ
１６  締結金具
１７  テンションボルト
１８  ナット
１９  保護ケース
１９ａ  縮径筒部
２０  防水テープ層
２１  仕切り板
２２  ボルト
２３  ナット
２４，２５  絶縁ゴムシート
２６  防水テープ層
２７  防水コンパウンド
２８  引留め鉄線
２９  圧縮スリーブ
３０  ＦＲＰ線引留め金具
３０ａ  テーパ面
３１  バインド部材
３２  鉄線締め付け金具
３２ａ  テーパ面
３２ｂ，３２ｃ  フランジ
３３  押え金具
３４  防水テープ層
【図１】
2005012872.tif 000003
【図２】
2005012872.tif 000004
【図３】
2005012872.tif 000005